【手続補正書】
【提出日】平成15年11月28日(2003.11.28)
【手続補正１】
【補正対象書類名】明細書
【補正対象項目名】全文
【補正方法】変更
【補正の内容】
【発明の名称】カメラ用駆動装置
【特許請求の範囲】
【請求項１】永久磁石ロータと、このロータを磁気的に駆動する固定子コイルとを含み、
上記コイルを巻回するコイル枠部がシャッタ地板に一体に上記ロータの周囲に形成されており、
上記ロータはシャッタ羽根を駆動する駆動部を作動可能に設けられており、
上記シャッタ地板の対向側には上記シャッタ羽根用の支持板が設けられており、
上記支持板は磁性材からなり、上記ロータの半分の部分にだけ磁束を発生可能に上記ロータの略半分を覆うように形成されたステータ部が一体に設けられている
ことを特徴とするカメラ用駆動装置。
【請求項２】請求項１において、上記シャッタ地板には、ロータ支持部が設けられており、上記ロータ支持部の先端は上記支持板に形成された支持孔に嵌合しており、上記ロータ支持部には上記ロータが回動自在に設けられていることを特徴とするカメラ用駆動装置。
【請求項３】請求項１において、上記ロータは、上記支持板と上記シャッタ地板とに設けられた軸受部に回動自在に設けられていることを特徴とするカメラ用駆動装置。
【発明の詳細な説明】
【０００１】
【発明の技術分野】
本発明は、カメラ用駆動装置に関するものである。
【０００２】
【従来の技術】
従来のカメラのシャッタ絞りの開閉や自動焦点調整などに用いるカメラ用駆動装置は、ステップモータによって回転リングを回動させ、この回転リングを介してシャッタ羽根等を駆動させる構成が多く採用されている。（例えば特開平２−５８０３５号公報）。しかし、このような構成にすると、ステップモータの構成要素として、コイル枠とコイル及びステータを必要とする他、回転リングなど多数の部品を必要とするため構造が複雑化し、それだけ大形化してしまうため、コンパトカメラなど小形化志向のカメラには向かない問題があった。
【０００３】
これに対しては、軸方向に磁極を配置してなるロータマグネットを固着したロータに駆動ピンを設け、この駆動ピンによってシャッタ羽根を直接的に揺動可能とすることによりコンパクト化を実現したものが提案されている（実開平３−２２２２８号公報）。
さらに、上記した提案の機能向上を実現するものとして、ロータマグネットを小判型のコイル枠で囲み、このコイル枠に軸方向にコイルを巻回し、コイルの外側を小判型のヨークで覆う構成のカメラ用駆動装置が提案されている（実開平７−１４４３９号公報）。
【０００４】
【発明が解決しようとする課題】
上記した従来技術のうち、後二者は構成的にコンパクト化がかなり進んだものといえるが、コイル枠が上コイル枠と下コイル枠とからなり、さらにヨークを備えているなど未だ部品点数の減少化が不十分であり、コンパクト化への移行の余地が残されている。また、ロータをコイル枠に取り付け、さらにこのコイル枠をシャッタ地板に取り付けるものであるため、ロータの軸位置精度が低下して軸位置を合わせるための手間を要する問題がある。
【０００５】
【課題を解決するための手段】
そこで本発明は、上記の課題を解決するために以下のような手段を採用した。その第１として、ロータの周囲にシャッタ地板と一体のコイル枠部を形成し、このコイル枠部にコイルを巻回することにより独立したコイル枠を不要として部品点数を減少させてある。
第２に、シャッタ地板と対向するように設ける支持板を磁性材で構成し、ロータマグネットの一方の面の半分を覆うようにしてステータの機能を果たさせるステータ部を一体に設けることにより独立したステータを不要として部品点数を減少させてある。
第３に、ロータをシャッタ地板と一体に設けたロータ支持部に取り付けるようにして軸位置精度の低下を防止可能としてある。
【０００６】
【発明の実施の形態】
本発明は、永久磁石ロータと、このロータを磁気的に駆動する固定子コイルとを含み、コイルを巻回させるコイル枠部がシャッタ地板に一体にロータの周囲に形成されており、ロータはシャッタ羽根を駆動する駆動部を作動可能に設けられており、シャッタ地板の対向側にはシャッタ羽根用の支持板が設けられており、支持板は磁性材からなり、ロータの半分の部分にだけ磁束を発生可能に上記ロータの略半分を覆うように形成されたステータ部が一体に設けられている。
【０００７】
また、シャッタ地板には、ロータ支持部が設けられており、ロータ支持部の先端は支持板に形成された支持孔に嵌合しており、ロータ支持部にはロータが回動自在に設けられているようにしてもよく、また、ロータは、支持板とシャッタ地板とに設けられた軸受部に回動自在に設けられているようにしてもよい。
【０００８】
【実施例】
図１は本発明の第１実施例の要部を断面図で示したものであり、図２はそれを平面図で示したものである。
図１，２に示すように、ロータＲは、シャッタ地板１の特定の部分に設けられたロータ支持部１ａに回転自在に軸支してある。ロータ支持部１ａの先端はシャッタ地板１と対向するように設けてある支持板２に形成された支持孔２ａに係合している。
ロータＲは上述したように、ロータ支持部１ａに回転自在に軸支されたロータ軸３と、このロータ軸３に固着してあるロータマグネット４とからなる。ロータ軸３は軸の中心に軸孔３ａを設けてあり、軸孔３ａに上述のロータ支持部１ａが嵌入してある。またロータマグネット４は軸方向に磁束が生じるように極性が配置してある。
【０００９】
ロータ軸３は、一方の側にロータマグネット４の外径よりも、少し小さめの外径の円板部３ｂが形成してあり、ロータマグネット４の一側部はこの円板部の側面に対接している。円板部３ｂの特定位置には外方への張り出し部３ｃを形成してあり、張り出し部３ｃにはロータ軸３と平行なシャッタ羽根駆動部としての駆動ピン５が立設してある。
駆動ピン５の先端は、支持板２にロータ軸３を回転中心として形成してある弧状孔部２ｂ内に位置しており、弧状孔部２ｂの円弧長の範囲でロータＲの回動を可能にしてある。
弧状孔部２ｂは支持板２のロータマグネット４の略半分と対向する部分を切り抜いた状態に形成してあり、ロータＲから発生する磁束を逃がしてステータによる磁力を生じさせないようにしてある（図３参照）。
【００１０】
駆動ピン５は、１対のシャッタ羽根６（１枚のみ図示）の孔部６ａに嵌合している。シャッタ羽根６は孔部６ａと所定距離だけ離れた位置に設けてある軸孔部６ｂがロータ軸３に嵌合しているため、ロータＲにより駆動ピン５が弧状孔部２ｂの範囲内で回動することにより揺動可能である。なお、図示してない他方のシャッタ羽根も駆動ピン５が孔部に嵌合しており、軸孔部がシャッタ地板１に突設された支持ピン（図示略）に嵌合しており、両シャッタ羽根が逆方向に揺動可能である。したがってロータＲが所定の角度範囲で往復回動すると、シャッタの開口部が開閉可能となる。
【００１１】
シャッタ地板１におけるロータ支持部１ａが形成してある部分の周囲は、ロータＲを半円状に覆う半円板部１ｂとなっており（図２参照）、半円板部１ｂは外壁部１ｃによって支持されている。外壁部１ｃは、ロータＲの外周を取り囲むように形成してあり、所定の間隔にフランジ部１ｄを形成してコイル枠部１ｅとしてある。コイル枠部１ｅにはコイル７が巻回してある。
支持板２はパーマロイまたは磁性粉入りのプラスチック等の磁性材を採用してあり、ロータＲとの対向面の外方を半円状に形成し、その一端部２ｃがコイル枠部１ｅの外周部の一部と対向するように形成してある。支持板２は、さらにコイル枠部１ｅの他側面と対接し、ロータＲの中心に向って延伸してステータ部２ｄを設けてある。ステータ部２ｄは、ロータマグネット４の略半分を覆うように形成してあり、この半分の部分にだけ磁束を発生可能にするステータとして機能するようにしてある。
【００１２】
図３は、支持板２の要部における平面の状態を示しているが、弧状孔部２ｂがロータマグネット４との対向面の略半分を占めるのに対し、ステータ部２ｄが弧状孔部２ｂと対称位置でロータマグネット４の対向面の略半分を覆うようにしてある。したがってコイル７に通電して磁束を発生させた場合に、ステータ部２ｄによって覆われた部分では、ロータＲへの回転力を発生させるが、弧状孔部２ｂとの対向面ではステータがないので回転力を発生させることが不可能である。
【００１３】
以上のように構成されたカメラ用駆動装置は、コイル枠をシャッタ地板と一体のコイル枠部１ｅによって代替し、ステータを磁性材からなる支持板２にステータ部２ｄとして形成することによって代替してあるため、従来ならば独立していた両部品を不要とすることができる。さらに、ロータＲをシャッタ地板１と一体に形成されたロータ支持部１ａに軸支するようにしてあるので、従来技術において行なっていたようなコイル枠の位置合わせ作業が不要となるので、軸位置精度を容易に向上可能となる。またコイル７による磁束がロータ軸の向きに発生するため支持板２により外部への磁束の漏れを遮断でき、他の電子機器に磁束の影響が及びにくい。このため、ロータＲの周囲に磁束をカットするヨークを設ける必要がない。
【００１４】
本実施例における初期状態すなわちシャッタ羽根が閉じた状態では、図２に示すように、ロータマグネット４の極性をステータ部２ｄの中心線と約４５°だけ傾いた位置になるように配置してある。このとき駆動ピン５は弧状孔部２ｂの右端部近傍に位置するようにしてある。
ここで上記した構成において、図示してない制御手段によりコイル７に通電すると、ステータ部２ｄ及びこれと対向する支持板の部分に磁力が生じる。これにより、ロータマグネット４の磁極が反発されて右回り（時計回り方向）にロータＲが回動する。これによりシャッタ羽根６は駆動ピン５を介して互いに逆方向に揺動して開き、図示してない位置で所定のシャッタ開口を形成する。次にコイル７の通電を停止すると、ロータＲに対する反発力は消失し、シャッタ羽根はそれぞれ図示してない復帰ばねの力によって初期位置に復帰し、シャッタ開口を閉鎖する。
なお、上記したシャッタ羽根の復帰動作をコイル７に逆方向の電流を通電することによって行なうようにすることも可能である。
【００１５】
また、第２実施例を図４に示す。第１実施例と同じものは同一符号を使用している。また、説明も第１実施例と同じところは省略し、違いのあるところを中心に説明する。第２実施例は、シャッタ地板１にロータ支持部が設けられない場合のものである。
シャッタ地板１と支持板２とにロータ軸８を支持する軸受部１ｆ，２ｅがそれぞれ設けられている。ロータ軸８には、ロータマグネット４が固着され、一方の側にロータマグネット４の外形よりも、少し小さめの外径の円板部３ｂが形成してある。ロータマグネット４の一側部はこの円板部３ｂの側面に対接している。また、円板部３ｂの特定位置には外方への張り出し部３ｃを形成してあり、張り出し部３ｃにはロータ軸８と平行なシャッタ羽根駆動部としての駆動ピン５が立設してあるものである。
【００１６】
なお、第１実施例では、ロータ支持部をシャッタ地板に一体に設けたが、ロータ支持部を別部材にしてシャッタ地板に固着しても良い。
また、第１、２実施例ではロータ軸にシャッタ駆動部を一体的に設けたがロータ軸と駆動部との間に輪列等の部材を介しても良い。
【００１７】
【発明の効果】
本発明によれば、第１に、コイル枠をシャッタ地板と一体に形成し、これとともにステータを支持板と一体のステータ部によって代替してあり、従来と違い、別部材のコイル枠とステータとを不要とする構成にしてあるので部品点数が減少し、カメラのコンパクト化とともに製造コストを低減させることが可能となる。第２にシャッタ地板にコイル枠部やロータ支持部、支持板にステータ部を一体に形成したものであるため、従来技術で行っていたようなロータ駆動の高精度を保つための各部品の位置合わせが不要となる。
【図面の簡単な説明】
【図１】本発明の第１実施例の要部の断面図である。
【図２】同、平面図である。
【図３】同、支持板の平面図である。
【図４】本発明の第２実施例の要部の断面図である。
【符号の説明】
１          シャッタ地板
１ａ        ロータ支持部
１ｅ        コイル枠部
２          支持板
２ａ        支持孔
２ｂ        弧状孔部
２ｄ        ステータ部
Ｒ          ロータ
３，８      ロータ軸
４          ロータマグネット
５          駆動ピン（駆動部）
６          シャッタ羽根
７          コイル